(57)【要約】【課題】壁開口部に対してガタツキなく容易かつ迅速に組み付けることができ、組み付け後にも容易に分解することのできる建具枠を提供する。【解決手段】壁２の片面側で開口部３の内周面３Ａに沿って固定される枠部材４１と、枠部材４１とは反対側で開口部３の内周面３Ａに沿って固定される枠部材４２と、枠部材４１，４２のいずれか一方に着脱可能にして結合される枠部材４３とを備える。枠部材４１，４２は、それぞれ開口部３内で重なり合う鍔部４１Ａ，４２Ａを有すると共に、その両枠部材４１，４２のうち、一方の鍔部４２Ａを覆う他方の鍔部４１Ａにはその長手方向に沿って枠部材４３を装着するための凹溝４１Ｂが形成される。枠部材４３は、枠部材４１，４２の継目ｊを覆う枠本体４３Ａと、この枠本体４３から突出して凹溝４１Ｂに圧入される凸条４３Ｂとを有する。【選択図】図３
2009203704.tif 000002
【特許請求の範囲】
【請求項１】
壁の開口部に設けられる建具枠であり、前記壁の片面側で前記開口部の内周面に沿って固定される第１枠部材と、前記第１枠部材とは反対側で前記開口部の内周面に沿って固定される第２枠部材と、前記第１、第２枠部材のいずれか一方に着脱可能にして結合される第３枠部材とを備え、
前記第１、第２枠部材は、それぞれ前記開口部内で重なり合う鍔部を有すると共に、その両枠部材のうち、一方の鍔部を覆う他方の鍔部にはその長手方向に沿って前記第３枠部材を装着するための凹溝が形成され、
前記第３枠部材は、前記第１、第２枠部材の継目を覆う枠本体と、この枠本体から突出して前記凹溝に圧入される凸条とを有することを特徴とする建具枠。
【請求項２】
前記凸条には、前記凹溝の内壁面に対して弾性接触する襞状の弾性突起が形成されていることを特徴とする請求項１記載の建具枠。
【請求項３】
前記第１枠部材の表面を覆う着脱可能な第１化粧枠と、前記第２枠部材の表面を覆う着脱自在な第２化粧枠とを有し、
その第１、第２化粧枠には、それぞれ前記開口部の外側開口縁にて先端面が前記壁に接触するＬ字形に曲がったカバー部が一体に形成されていることを特徴とする請求項１、又は２記載の建具枠。
【発明の詳細な説明】
【技術分野】
【０００１】
本発明は、主として戸枠として用いられる建具枠に係り、特に壁の開口部を綺麗に縁取ることができ、開口部への組み込みも容易な建具枠に関する。
【背景技術】
【０００２】
一般に、建物の間仕切り壁や外壁に形成される開口部には、戸枠や窓枠といった建具枠を組み込み、その内側に開き戸や引き戸を建て込んでいる。係る建具枠は、左右一対の竪枠、上枠、及び下枠により構成されることが通常であるが、壁の軸組み工事などと同時に建具枠の組み付けを行なう場合（これを先付けという）と、壁紙で壁面を仕上げてから建具枠を組み付ける場合（これを後付けという）とがある。
【０００３】
しかし、先付けの建具枠では、開口部との間に隙間が生じたり、壁紙の端縁が外部にあらわれたりして美観を損なってしまうことがあり、しかも建築工事中に建材や工具を激突させて傷付けてしまうことがある。
【０００４】
そこで、後付け用として、竪枠及び上枠のそれぞれを３つの部材で構成し、その３部材のうちの２部材を壁の両面側から開口部の内周面に取り付け、その両部材の各一端部で開口部の外側開口縁を覆いながら、その両部材の突合せ部分に戸当たりとなる残りの一部材を取り付けられるようにした建具用開口枠が提案されている（例えば、特許文献１）。
【０００５】
【特許文献１】登録実用新案第３１２９７８１号公報
【発明の開示】
【発明が解決しようとする課題】
【０００６】
しかしながら、特許文献１の開口枠によれば、戸当たりとなる部材にＬ字形の突起（凸片）を設ける一方、他の一部材にＬ字形の溝（凹部）を形成し、その突起と溝との係合により戸当たりとなる部材を取り付けるようにしていることから、施工後に戸当たりががたつく可能性があり、これを防止すべく溝内に接着剤を充填して戸当たりを接着固定してしまうと、施工後の分解が不能となり、補修工事やリフォーム時の再利用が行なえなくなるという問題がある。
【０００７】
又、各部材は、心材の表面に化粧板を一体化させて構成されているので、壁紙と開口枠の色彩を調和させることができず、しかも心材と一体の化粧板を壁の開口縁に押し付けるので、壁紙の張替えが困難になるという欠点がある。
【０００８】
本発明は以上のような事情に鑑みて成されたものであり、その主たる目的は、壁開口部に対してガタツキなく容易かつ迅速に組み付けることができ、組み付け後にも容易に分解することのできる建具枠を提供することにある。
【課題を解決するための手段】
【０００９】
本発明は上記目的を達成するため、
壁の開口部に設けられる建具枠であり、前記壁の片面側で前記開口部の内周面に沿って固定される第１枠部材と、前記第１枠部材とは反対側で前記開口部の内周面に沿って固定される第２枠部材と、前記第１、第２枠部材のいずれか一方に着脱可能にして結合される第３枠部材とを備え、
前記第１、第２枠部材は、それぞれ前記開口部内で重なり合う鍔部を有すると共に、その両枠部材のうち、一方の鍔部を覆う他方の鍔部にはその長手方向に沿って前記第３枠部材を装着するための凹溝が形成され、
前記第３枠部材は、前記第１、第２枠部材の継目を覆う枠本体と、この枠本体から突出して前記凹溝に圧入される凸条とを有することを特徴とする。
【００１０】
加えて、前記凸条には、前記凹溝の内壁面に対して弾性接触する襞状の弾性突起が形成されていることを特徴とする。
【００１１】
又、前記第１枠部材の表面を覆う着脱可能な第１化粧枠と、前記第２枠部材の表面を覆う着脱自在な第２化粧枠とを有し、
その第１、第２化粧枠には、それぞれ前記開口部の外側開口縁にて先端面が前記壁に接触するＬ字形に曲がったカバー部が一体に形成されていることを特徴とする。
【発明の効果】
【００１２】
本発明の建具枠によれば、第１枠部材と第２枠部材に開口部内で重なり合う鍔部が形成され、一方の鍔部を覆う他方の鍔部には、その長手方向に沿って凹溝が形成されることから、その凹溝からビスをねじ込んで両枠部材を開口部の内周面に固定することができ、しかも凹溝には第３枠部材の凸条が圧入されることから、第３枠部材をガタツキなく固定しながら、必要に応じて第３枠部材を取り外してビスを抜き取ることにより、建具枠全体を分解することができる。
【００１３】
又、第３枠部材は凸条に連なる枠本体を有し、その枠本体により第１、第２枠部材の継目が覆われることから美観を損ねない。
【００１４】
特に、第３枠部材の凸条には、凹溝の内壁面に対して弾性接触する襞状の弾性突起が形成されていることから、ガタツキ防止効果があり、再装着する場合にも弾性突起の弾性回復によって高い結合力を維持できる。
【００１５】
加えて、第１、第２枠部材には、それらの表面を覆う第１、第２化粧枠が着脱自在に設けられることから、壁紙の色などに合わせて化粧枠を交換することができ、しかもそれら化粧枠には、開口部の外側開口縁にて先端面が壁に接触するＬ字形に曲がったカバー部が一体に形成されているので、そのカバー部により第１、第２枠部材と壁との交差部分を遮蔽して美観を損ねず、壁紙の張替えも化粧枠の取り外しにより容易に行え、美的に仕上げることができる。
【発明を実施するための最良の形態】
【００１６】
以下、本発明を図面に基づいて詳しく説明する。図１は本発明に係る建具枠の使用態様を示した正面概略図である。図１において、１は床、２は壁（本例において間仕切り壁）であり、その壁２には建具を設けるための矩形の開口部３が形成されている。本例において、係る建具枠４は、開口部３の左右両側縁に固定される竪枠４Ａ，４Ｂと、開口部３の上縁に固定される上枠４Ｃとから成る門形の戸枠として用いられ、その内側に開き戸５が建て込まれる。尚、一方の竪枠４Ｂにはヒンジ６が取り付けられ、そのヒンジ６を中心として開き戸５が開閉するようになっている。
【００１７】
図２は図１のＸ−Ｘ断面図、図３は同部分の斜視図である。図２および図３において、２１は壁２を構成する柱、２２は柱２１を挟んで平行に固定される内外一対の壁板であり、壁板２２の表面には壁紙２３が張られている。そして、本願建具枠４は、壁２の開口端面すなわち開口部３の内周面３Ａに取り付けられて、開口部３を体裁よく縁取ることができる。尚、図２、図３には本願建具枠４を構成する一方の竪枠４Ａのみ示されるが、他方の竪枠４Ｂおよび上記上枠４Ｃも基本構造は同じであるから、それらの構造については竪枠４Ａの構造説明を以って省略する。
【００１８】
ここに、竪枠４Ａは、壁２の片面側（図３において正面側）で開口部３の内周面３Ａに沿って固定される枠部材４１（第１枠部材）、その枠部材４１とは反対側（図３において壁２の背面側）で開口部３の内周面３Ａに沿って固定される枠部材４２（第２枠部材）、及び枠部材４１に着脱自在にして結合される枠部材４３（第３枠部材）の３ピース構造とされる。
【００１９】
その各枠部材４１，４２，４３は一方向に連続する帯状材で、このうち２つの枠部材４１，４２は積層木質板から成り、その両者４１，４２には開口部３内における壁２の厚さ方向中央部分にて重なり合う鍔部４１Ａ，４２Ａが形成され、その鍔部４１Ａ，４２Ａを重ね合わせることで両枠部材４１，４２が横断面長方形の形態に組み合うようになっている。
【００２０】
特に、一方の枠部材４２の鍔部４２Ａを覆って表層となる他方の枠部材４１の鍔部４１Ａには、その長手方向（図３において上下方向）に沿って凹字形の凹溝４１Ｂが連続して形成されている。そして、図２から明らかなように、２つの枠部材４１，４２は凹溝４１Ｂから鍔部４１Ａ，４２Ａを通して柱２１にねじ込まれるビスｎ（木ネジ）により、壁２に対して堅固に固定される。
【００２１】
又、図２および図３から明らかなように、枠部材４１，４２には、それぞれその各表面を覆う化粧枠４４，４５が着脱自在に取り付けられる。それら化粧枠４４，４５は、ＡＢＳ樹脂から成る厚さ１．５mmの屈曲板で、開口部３に面する幅広の主面部４４Ａ，４５Ａと、この主面部４４Ａ，４５Ａに直角に連なる端面部４４Ｂ，４５Ｂとを有している。
【００２２】
その端面部４４Ｂ，４５Ｂの片側は、それぞれ枠部材４１，４２より開口部３から隔たる方向に突出してＬ字形に曲がったカバー部４４Ｃ，４５Ｃとされ、その各先端面が開口部３の外側開口縁にて壁２の表面（壁紙２３）に接触するようになっている。更に、主面部４４Ａ，４５Ａと端面部４４Ｂ，４５Ｂとの内面には、その長手方向に連続する突片４４Ｄ，４５Ｄが形成され、枠部材４１，４２には突片４４Ｄ，４５Ｄに対応する係止溝４１Ｃ，４２Ｃが形成されている。
【００２３】
そして、係る化粧枠４４，４５は、突片４４Ｄ，４５Ｄと係止溝４１Ｃ，４２Ｃとの嵌合により枠部材４１，４２に装着され、その装着によりカバー部４４Ｃ，４５Ｃが壁２と枠部材４１，４２との交差部分を遮蔽しながら、壁紙２３が剥離するのを防止する働きをする。
【００２４】
尚、本例において、化粧枠４４，４５は、ＡＢＳ樹脂の押出成形物を基材とし、その表面に図示せぬ樹脂製シートを貼付して構成されるが、シートを貼付せずして樹脂基材に模様や着色を施しても良い。
【００２５】
一方、枠部材４３は、偏平な中空角柱状の枠本体４３Ａと、この枠本体４３Ａから直角に突出する凸条４３Ｂとを一体成形した横断面Ｔ字形の樹脂成形物（例えば、発泡ＡＢＳ樹脂）であり、その凸条４３Ｂが凹溝４１Ｂに圧入することで枠部材４１に対するガタツキのない堅固な固定を可能にしながら、着脱が自在となっている。
【００２６】
特に、図４から明らかなように、凸条４３Ｂには襞状の弾性突起４３Ｃが形成される。その弾性突起４３Ｃは、エラストマから成る横断面鋸刃状の形態で、凸条４３Ｃの厚さ方向両側に一体的に設けられている。そして、その弾性突起４３Ｃは、弾性変形によって凹溝４１Ｂの両側内壁面に対して強力に弾性接触し、枠部材４３が枠部材４１から不用意に離脱することを防止する働きをする。
【００２７】
又、本例において、枠本体４３は戸当たりとして機能するもので、その一端面には開き戸５の閉鎖時に対応して緩衝用のクッション４３Ｄが取り付けられている。尚、枠部材４３の装着時において、枠本体４３Ａは枠部材４１，４２の継目ｊを覆い隠し、且つ化粧枠４４，４５の各一端部を押さえ込んで化粧枠４４，４５が外されることを防止する役割も果たす。
【００２８】
ここで、以上のように構成される建具４枠の組み立て方法について説明する。先ず、壁２の仕上げが完了した段階（壁紙２３を張り終えた段階）で、図１に示した竪枠４Ａ，４Ｂおよび上枠４Ｃとなる３つの同一枠部材（本例において開き戸５の開閉側となる枠部材４１）を、化粧枠４４を装着した状態で門形に組み、これを図４のように壁２の片面側から開口部３に嵌め込み、化粧枠４４のカバー部４４Ｃの先端面を壁２に突き当てる。
【００２９】
尚、図４には開口部３の片側のみを示している関係で、枠部材４１，４２がそれぞれ一つだけしか示されていないが、実際には枠部材４１，４２に平行して、それぞれ同一の枠部材が存在し、且つ平行する枠部材４１，４２の上端間にもそれぞれ同一の枠部材が設けられる。
【００３０】
ここに、門形に組んだ３つの枠部材４１が開口部３の幅よりも小さい場合には、図４のように開口部３の内周面３Ａに板状のスペーサ７を宛がうのであり、これにより門形に組んだ枠部材４１を開口部３に隙間無く嵌め込むことができる。
【００３１】
次に、壁２の逆側から化粧枠４５を装着した３つの枠部材４２を、カバー部４５Ｃの先端面が壁２に突き当たるまで開口部３に順次嵌め込み、両枠部材４１，４２の鍔部４１Ａ，４２Ａ同士を重ね合わせる。その後、図２のように枠部材４１の凹溝４１Ｂから鍔部４１Ａ，４２Ａを通して柱２１にビスｎをねじ込み、これによって枠部材４１，４２を開口部３の内周面３Ａに対して固定する。しかして、枠部材４１の凹溝４１Ｂに枠部材４３の凸条４３Ｂを圧入して、枠部材４３を装着することにより建具枠としての戸枠が完成する。
【００３２】
尚、図２および図５のように、枠部材４１，４２の鍔部４１Ａ，４２Ａは壁２の厚さによって重なる範囲が増減するが、凹溝４１Ｂに他方の鍔部４２Ａが対向すれば、枠部材４１，４２をビスｎにて固定できるのであり、このため厚さが異なる壁にも所定の厚さ範囲において対応することができ、しかも枠部材４１，４２の間に形成される継目ｊ（隙間）を枠部材４３の枠本体４３Ａにより遮蔽して美観を損ねない。
【００３３】
又、壁紙２３の色などに応じて化粧枠４４，４５を付け替えるだけで色彩を調和させることができ、しかもリフォームなどに際し、枠部材４３を取り外してビスｎを抜き取ることにより、建具枠全体を分解して再利用することができる。
【００３４】
更に、化粧枠４４，４５のカバー部４４Ｃ，４５Ｃにより、枠部材４１，４２と壁２との交差部分が覆われるので美観を損ねず、カバー部４４Ｃ，４５Ｃの先端面で壁紙２３を押さえてその剥離を防止することもでき、しかも化粧枠４４，４５を外して壁紙２３の張替えを容易かつ綺麗に行うことができる。
【００３５】
以上、本発明について説明したが、係る建具枠は戸枠に限らず窓枠として利用することもでき、全体的な形態も門形に限らず、矩形にすることもできる。又、開き戸に代えて、引き戸を建て込むこともできる。
【図面の簡単な説明】
【００３６】
【図１】本発明に係る建具枠の使用態様を示す正面概略図
【図２】図１のＸ−Ｘ断面図
【図３】図２の斜視図
【図４】本発明に係る建具枠の組立図
【図５】壁の厚さにより変化する鍔部の重なり状態を説明する断面図
【符号の説明】
【００３７】
２  壁
３  開口部
３Ａ  開口部の内周面
４  建具枠
４１  第１枠部材
４１Ａ  鍔部
４１Ｂ  凹溝
４２  第２枠部材
４２Ａ  鍔部
４３  第３枠部材
４３Ａ  枠本体
４３Ｂ  凸条
４３Ｃ  弾性突起
４４  第１化粧枠
４４Ｃ  カバー部
４５  第２化粧枠
４５Ｃ  カバー部
ｊ  第１、第２枠部材の継目
【図１】
2009203704.tif 000003
【図２】
2009203704.tif 000004
【図３】
2009203704.tif 000005
【図４】
2009203704.tif 000006
【図５】
2009203704.tif 000007